(57)【要約】【課題】一人でも容易に取り付け可能な止水シートを提供する。【解決手段】防水性を有するシート状物であって、一方の面に接触する物体に吸着する吸着層１１を備える。【選択図】図１
0003231900.tif 000002
【実用新案登録請求の範囲】
【請求項１】
防水性を有するシート状物であって、
一方の面に接触する物体に吸着する吸着層を備える止水シート。
【請求項２】
請求項１に記載の止水シートであって、
前記吸着層が複数の微細孔を有することを特徴とする止水シート。
【請求項３】
請求項１に記載の止水シートであって、
前記吸着層が接着剤からなることを特徴とする止水シート。
【考案の詳細な説明】
【技術分野】
【０００１】
本考案は、大雨や高潮の際に建造物内が浸水するのを防止するための止水シートに関する。
【背景技術】
【０００２】
台風等により大雨や高潮が生じると、建造物内に汚水が侵入する（浸水する）ことがある。そのため、従来、台風の上陸が予め判明していた場合、建造物内への浸水を防ぐため、建造物の出入り口（例えば、ドアやシャッター、窓等）に土のうを積み上げるといった対策が行われていた。しかしながら、土のうの積み上げには時間や労力を要するという問題があった。また、収納に場所を取ってしまうという問題があった。
【０００３】
これに対して、より手軽に実施できる浸水対策として、例えば、非特許文献１に示される様な「止水シート」が知られている。止水シートは、防水性のシート状物であり、建造物の出入り口に養生テープ等の粘着テープを用いて貼着されて使用される。つまり、水を通さない性質を有する止水シートが、建造物の出入り口の隙間を塞ぐように取り付けられることで建造物が浸水することを防ぐことができる。また、シート状物であるから、使用時以外はコンパクトに保管できる。
【先行技術文献】
【非特許文献】
【０００４】
【非特許文献１】株式会社くればぁ，"水ピタ防水シート"，［online］，［令和３年２月１８日検索］，インターネット＜https://item.rakuten.co.jp/nippon-clever/clv-mizupita-4/＞
【考案の概要】
【考案が解決しようとする課題】
【０００５】
しかしながら、止水シートはその性質上、建造物の出入り口の幅より大きいサイズとする必要があった。このように、止水シートは一定の大きさが必要であるため、止水シートを建造物の出入り口に取り付ける作業（以下、「取付作業」と称す。）を一人で行うのは困難であった。具体的に取付作業は、（１）止水シートを取り付けたい位置に保持する工程と、（２）シート外縁部を粘着テープで貼着する工程とがあり、少なくとも工程（１）と工程（２）とをそれぞれ別人が担う必要があった。また、台風等の前に取付作業を行う場合、強風により止水シートが激しくはためくので、取付作業が困難になる。
【０００６】
本考案は、前記事情に鑑みてなされたものであり、一人でも容易に取り付け可能な止水シートを提供することにある。
【課題を解決するための手段】
【０００７】
本考案の第１の止水シートは、防水性を有するシート状物であって、一方の面に接触する物体に吸着する吸着層を備えることを特徴とする。
【０００８】
また、本考案の第２の止水シートは、前記吸着層が複数の微細孔を有することを特徴とする。
【０００９】
さらにまた、本考案の第３の止水シートは、前記吸着層が接着剤からなることを特徴とする。
【考案の効果】
【００１０】
前記構成によれば、本考案に係る止水シートは吸着層を建造物の出入り口に接触させ全面を吸着させることができるので、取付作業における上記工程（１）は吸着層の吸着に担わせ、使用者は上記工程（２）のみを行えばよい。すなわち、本考案に係る止水シートは一人でも容易に取り付けることができる。また、台風等の前の強風の下でも、本考案に係る止水シートは吸着層を建造物の出入り口に接触させ全面を吸着させることができるので、比較的容易に取付作業を行うことができる。
【図面の簡単な説明】
【００１１】
【図１】本考案の一実施の形態に係る止水シートの模式図である。
【図２】本考案の一実施の形態に係る止水シートの使用方法を説明する模式図である。
【図３】本考案の一実施の形態に係る止水シートの取付方法を説明するフローチャートである。
【考案を実施するための形態】
【００１２】
以下、本考案の実施の形態を図面に基づいて説明する。ただし、以下に示す実施の形態は、本考案の技術思想を具体化するための例示するものであって、本考案はそれらを以下のものに特定しない。また、本明細書は実用新案登録請求の範囲に示される部材を、実施の形態の部材に特定するものでは決してない。特に実施の形態に記載されている構成部品の寸法、材質、形状、その相対的配置等は特に特定的な記載がない限りは、本考案の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本考案を構成する各要素は、複数の要素を同一の部材で構成して一の部材で複数の要素を兼用する態様としてもよいし、逆に一の部材の機能を複数の部材で分担して実現することもできる。
（止水シート１）
【００１３】
本考案の一実施の形態に係る止水シート１について図１〜図３に基づいて説明する。
【００１４】
止水シート１は、図１に示すように、ビニール製の略矩形状のシート状物であって、防水性を有する。一方の面であり、接触する物体に吸着する吸着層１１を全面に備える。なお、止水シート１の態様は前述のものに限定されず、例えば、不織布製や紙製であってもよい。この場合、防水加工（例えば防水コーティング）を施す必要がある。また、形状も矩形状に限定されない。
（吸着層１１）
【００１５】
吸着層１１は、複数の微細な孔を有している。これにより、止水シート１を対象物に押し付けることで微細孔内の空気が押し出され、真空状態となり、止水シート１が対象物に吸着する。
【００１６】
吸着層１１は止水シート１を取り付けたい位置に仮止めする用途に使用される（実際の固定には粘着テープＮＴが使用される。）ものであるため、吸着層１１の吸着力は、止水シート１が対象物から自然に剥がれない程度が好ましい。これにより、止水シート１は、一人でも容易に取り付けできる（詳細は後述する）。
【００１７】
なお、吸着層１１の態様は前述のものに限定されず、例えば、吸着層１１を接着剤で構成してもよい。また吸着層１１の吸着力を高め、粘着テープＮＴを用いることなく、止水シート１を固定できるようにしてもよい。
（止水シート１の使い方）
【００１８】
止水シート１は、図２に示すように、建造物の出入り口に、該出入り口の隙間を塞ぐように養生テープ等の粘着テープＮＴを用いて貼着されて使用される。つまり、水を通さない性質を有する止水シート１が、建造物の出入り口の隙間を塞ぐことで建造物が浸水することを防ぐことができる。以下では、図３に示すフローチャートに基づいて、止水シート１の取付方法を説明する。
【００１９】
まず、ステップＳＴ１０１で、止水シート１を取り付けたい位置に仮止めする。止水シート１は全面に吸着層１１を有するので容易に仮止めが可能である。
【００２０】
次に、ステップＳＴ１０２で、止水シートの外縁部を粘着テープＮＴで貼着し、止水シート１を固定する。
【００２１】
このように、止水シート１は２つの工程で容易に取り付けることができる。また、従来の止水シートであれば、例えば、１人目が止水シートを取り付けたい位置に保持している間に、２人目がシート外縁部を粘着テープで貼着するというように、取付作業に少なくとも２人以上必要であったのに対し、止水シート１は吸着層１１を用いることで仮止めできる。すなわち、止水シート１を取り付けたい位置に保持するという作業に人手が不要となる。また、止水シート１は、吸着層１１により取付箇所に面で吸着し、仮止めされるので、風によって止水シートがはためくのを抑制できる。
【００２２】
以上説明したように、本考案の一実施の形態に係る止水シート１は、一人でも容易に取り付け可能な点で従来の止水シートよりも優れている。
【符号の説明】
【００２３】
１…止水シート
１１…吸着層
ＮＴ…粘着テープ
【図１】
0003231900.tif 000003
【図２】
0003231900.tif 000004
【図３】
0003231900.tif 000005